(57)【要約】【課題】重心が安定しており、握りやすく、構造的に簡単に構成されるアングルグラインダを提供する。【解決手段】切断工具または研削工具１２を駆動するためのアングルグラインダであり、内部にモータ１８が設けられている、第１軸線Ａ１に沿って延在する第１ハウジング部分１４と、電池収容部２５を有する、第２軸線Ａ２に沿って延在する第２ハウジング部分１５とを有するハウジング１１を備え、軸線Ａ１，Ａ２は互いに角度αを成している。さらに、アングルグラインダは持ち手２０を有し、この持ち手２０は第１ハウジング部分１４に取り付けられた第１端部２１と、第２ハウジング部分１５に取り付けられた第２端部２２とを有する。【選択図】図１
2010089253.tif 000002
【特許請求の範囲】
【請求項１】
切断工具または研削工具（１２）を駆動するためのアングルグラインダであって、内部にモータ（１８）が設けられている、第１軸線（Ａ１）に沿って延在する第１ハウジング部分（１４）と、電池収容部（２５）を有する、第２軸線（Ａ２）に沿って延在する第２ハウジング部分（１５）とを有するハウジング（１１）を備え、前記軸線（Ａ１，Ａ２）は互いに角度（α）を成している該アングルグラインダにおいて、
前記第１ハウジング部分（１４）に取付けられた第１端部（２１）と、前記第２ハウジング部分（１５）に取付けられた第２端部（２２）とを有する持ち手（２０）を特徴とするアングルグラインダ。
【請求項２】
請求項１記載のアングルグラインダにおいて、前記第１軸線（Ａ１）と前記第２軸線（Ａ２）とが成す前記角度（α）は、１０°から６５°の間であることを特徴とするアングルグラインダ。
【請求項３】
請求項１または２記載のアングルグラインダにおいて、アングルグラインダを構成する各領域の重心（Ｆ１，Ｆ２，Ｆ３）の合計である合成重心（ＦＲ）は、前記第１軸線（Ａ１）上に位置し、また、持ち手（２０）の握り領域（２３）は、前記合成重心（ＦＲ）から前記第１軸線（Ａ１）に直交する方向に離れていることを特徴とするアングルグラインダ。
【発明の詳細な説明】
【技術分野】
【０００１】
本発明は、切断砥石または研削砥石を駆動させるための電池式アングルグラインダに関する。
【背景技術】
【０００２】
この種のアングルグラインダは、円盤状の切断工具または研削工具を備える。アングルグラインダの作動中、これらの工具は回転して、例えば構造体に切断面を形成したり、表面を研磨したりする。このとき、切断工具または研削工具は、周方向において少なくとも部分的に保護カバーにより覆われている。
【０００３】
特許文献１には、アングルグラインダとして構成され、縦長のハウジングを有するバッテリ給電式電動工具が記載される。このハウジングは電気駆動モータを有する縦長の略棒状ハウジング部材を備える。さらに、このハウジング部材に備えられた端部部材には、電池パックを交換可能に取付けるための差込受容部を有する端部側連結面が設けられている。電池パックは、連結面に当接するための連結面に適合する当接面と、差込受容部に噛合う差込部材とを有する連結部材とを備える。端部部材は、また、ハウジング部材の長手方向軸線方向から一方向に折れ曲がっている。
【０００４】
この既知のアングルグラインダの欠点は、一つには、モータを囲むハウジングが持ち手として機能しており、その径が比較的大きいため、握りにくい点にある。さらには、例えば電池パック、モータ、工具などの既存の各部に対してそれぞれ重心が存在することに起因して、ハウジング部材を握っている使用者の手に加わる重量分布は均一ではなく、場合によっては使用者の手首に作用する、大きなモーメントが発生し得る点にある。
【先行技術文献】
【特許文献】
【０００５】
【特許文献１】独国特許出願公開第１００３９７７７号明細書
【発明の概要】
【発明が解決しようとする課題】
【０００６】
したがって、本発明の課題は、上述の欠点を回避しつつも構造の簡単なアングルグラインダを提供することにある。
【課題を解決するための手段】
【０００７】
この課題は、請求項１に記載される特徴を備えるアングルグラインダにより解決される。これによれば、アングルグラインダは持ち手を備え、この持ち手は、第１端部と第２端部とを有し、第１端部が第１ハウジング部分に、第２端部が第２ハウジング部分にそれぞれ取り付けられている。この構成により、アングルグラインダの取り扱いが簡単なものとなる。同時に、ハウジングを曲げることによって、全長の短いアングルグラインダが得られる。
【０００８】
好適には、第１ハウジング部分の長手方向軸線と、第２ハウジング部分の長手方向軸線とが成す角度を１０°から６５°の間とする。この構成により、使用者が第２ハウジング部分を邪魔に感じることが無いような態様で、双方のハウジング部分を持ち手で連結することができる。
【０００９】
アングルグラインダを構成する各部のそれぞれの部分重心から得られる合成重心は第１軸線上に位置し、持ち手の握り領域は、好適には第１軸線に直交する方向に、合成重心から離れて位置する。この構成により、操業中に持ち手を握る手の手首にモーメントがほとんど作用することのない、バランスのとれた装置が得られる。
【００１０】
以下、図面に基づき本発明の好適な実施形態を詳述する。
【図面の簡単な説明】
【００１１】
【図１】本発明に係るアングルグラインダの一実施形態における側面図である。
【図２】本発明に係るアングルグラインダの他の一実施形態における側面図である。
【００１２】
図中、同様の部材を示すために同様の参照番号が使用される。
【発明を実施するための形態】
【００１３】
図１に示されるのは、本発明の第１実施形態である、動力線なしで作動可能なアングルグラインダ１０が示される。このアングルグラインダ１０には、図１においては点線でのみ示される円盤状の切断工具または研削工具１２を取付けることができ、この工具１２は、ハウジング１１内に設けられた駆動ユニットによって駆動可能である。さらに、切断工具または研削工具１２は駆動スピンドル１３に固定可能であり、この駆動スピンドル１３はハウジング１１のハウジングフランジ１６から突出する。さらに、切断工具または研削工具１２の保護カバー１７（点線でのみ示す）をハウジング１１に取付けても良い。この保護カバー１７により、切断工具または研削工具１２は少なくとも部分的に覆われる。
【００１４】
ハウジング１１は、駆動ユニットの伝動装置１９を収容するハウジングフランジ１６の他に、駆動ユニットのモータ１８を収容する、第１軸線Ａ１に沿って延在する第１ハウジング部分１４と、電池収容部を有する、第２軸線Ａ２に沿って延在する第２ハウジング部分１５とを備える。図１に示されるように、電池収容部２５には、電池３０の形態をとった電気エネルギー蓄積装置が取り外し可能に収容されている。また、電池３０の長手方向は第２軸線Ａ２に沿って延在している。第２ハウジング部分１５は、第１ハウジング部分１４から曲がって、つまり、軸線Ａ１およびＡ２が互いに角度αを成すように延在する。図１に示される実施形態において、この角度αは１５°となっている。
【００１５】
さらに、アングルグラインダ１０は持ち手２０を備える。この持ち手２０は、第１ハウジング部分１４に取り付けられた第１端部２１と、第２ハウジング部分１５に取り付けられた第２端部２２とを有し、かつ、軸線Ａ１およびＡ２により規定される平面Ｅ上に延在する。持ち手２０は、ブリッジのように構成されており、第１ハウジング部分１４と第２ハウジング部分１５との間に広がる三角領域に延在する。
【００１６】
持ち手２０は握り領域２３を有し、この握り領域２３には、アングルグラインダ１０のスイッチの入切をするためのスイッチ２４が設けられている。このとき持ち手２０は、少なくともその握り領域２３において、ハウジング１１から離れている。握り領域２３は、さらに、その中心Ｚにおいて、実質的に第１軸線Ａ１、および、第１軸線Ａ１上に位置するアングルグラインダ１０の合成重心ＦＲから直交する方向に離れている（図１中の点線２６を参照）。このとき、合成重心ＦＲは、アングルグラインダ１０を構成する各領域の部分重心（Ｆ１，Ｆ２，Ｆ３・・・）を合成することで得られ、特に、例示すると、伝動装置１９と切断工具または研削工具１２を含む駆動スピンドル１３の領域の第１部分重心Ｆ１、モータ１８領域の第２部分重心Ｆ２、および、電池収容部２５内における電池３０の領域の第３部分重心Ｆ３を合成することで得られる。
【００１７】
図２に示される、本発明の第２実施形態であるアングルグラインダ１０は、特に、電池収容部２５および電池３０を有する第２ハウジング部分１５が、第１ハウジング部分１４に対して急勾配で取付けられているという点において第１実施形態におけるアングルグラインダと異なる。ここでは、第２ハウジング部分１５の第２軸線Ａ２は、第１ハウジング部分１４の第１軸線Ａ１に対して６０°の角度を成している。
【００１８】
特に言及されない他の構成部材およびその機能については、第１実施形態に準じるものとする。
【符号の説明】
【００１９】
１０  アングルグラインダ
１１  ハウジング
１２  工具
１３  駆動スピンドル
１４  第１ハウジング部分
１５  第２ハウジング部分
１６  ハウジングフランジ
１７  保護カバー
１８  モータ
１９  伝動装置
２０  持ち手
２１  第１端部
２２  第２端部
２３  握り領域
２４  スイッチ
２５  電池収容部
２６  点線
３０  電池
α  角度
Ａ１  第１軸線
Ａ２  第２軸線
Ｅ  平面
Ｆ１  第１部分重心
Ｆ２  第２部分重心
Ｆ３  第３部分重心
ＦＲ  合成重心
Ｚ  中心
【図１】
2010089253.tif 000003
【図２】
2010089253.tif 000004